(57)【要約】【課題】加湿ホースの外径を太くすることなく加湿ホースの断熱性能を向上して、加湿能力を低下させずに結露水の発生を抑えて耳障りな異音の発生を防止できると共に、据付時の作業性を向上できる空気調和機を提供する。【解決手段】加湿機能を備えた空気調和機において、室外機１と室内機２との間に接続され、室外機１側から室内機２側に加湿空気を供給するための搬送通路としての加湿ホース３と、加湿ホース３に設けられた発熱体１０と、発熱体１０に通電する通電部１bとを備える。上記通電部１bにより加湿ホース３に設けられた発熱体１０に通電することにより、加湿ホース３の内周側の温度が露点温度よりも高くなって、結露水の発生を抑える。【選択図】図１
2008309415.tif 000002
【特許請求の範囲】
【請求項１】
加湿機能を備えた空気調和機であって、
室外機(１)と室内機(２)との間に接続され、上記室外機(１)側から上記室内機(２)側に加湿空気を供給するための搬送通路としての加湿ホース(３,３０)と、
上記加湿ホース(３,３０)に設けられた発熱体(１０,１１,１２,１３)と、
上記発熱体(１０,１１,１２,１３)に通電する通電部(１b,２a)と
を備えたことを特徴とする空気調和機。
【請求項２】
請求項１に記載の空気調和機において、
上記発熱体(１０)が上記加湿ホース(３,３０)に螺旋状に設けられていることを特徴とする空気調和機。
【請求項３】
請求項１に記載の空気調和機において、
上記通電部(１b,２a)を制御することにより上記発熱体(１０,１１,１２,１３)の通電電力を制御する制御部(１c,２b)を備えたことを特徴とする空気調和機。
【請求項４】
請求項３に記載の空気調和機において、
外気温度を検出する外気温度センサ(５)を備え、
上記制御部(１c,２b)は、上記外気温度センサ(５)により検出された外気温度が所定温度よりも低いとき、上記外気温度と上記所定温度との温度差が大きいほど上記発熱体(１０,１１,１２,１３)の通電電力を大きくすることを特徴とする空気調和機。
【請求項５】
請求項３または４に記載の空気調和機において、
上記加湿ホース(３,３０)の出口の相対湿度を検出する湿度センサ(６)を備え、
上記制御部(１c,２b)は、上記湿度センサ(６)により検出された相対湿度が所定湿度よりも高いとき、上記相対湿度と上記所定湿度との湿度差が大きいほど上記発熱体(１０,１１,１２,１３)の通電電力を大きくすることを特徴とする空気調和機。
【請求項６】
請求項３から５までのいずれか１つに記載の空気調和機において、
上記制御部(１c,２b)は、上記加湿ホース(３,３０)の長さまたは上記加湿ホース(３,３０)内の風量の少なくとも一方に基づいて、上記発熱体(１０,１１,１２,１３)の通電電力の変化モードを制御することを特徴とする空気調和機。
【請求項７】
請求項３から６までのいずれか１つに記載の空気調和機において、
上記制御部は、上記加湿ホースに設けられた上記発熱体全体に通電するかまたは上記発熱体のうちの室内機(２)側のみに通電するかを切り換えることを特徴とする空気調和機。
【請求項８】
請求項１から７までのいずれか１つに記載の空気調和機において、
上記加湿ホース(３０)は、上記発熱体(１３)が少なくとも上記室内機(２)に近い側に設けられていることを特徴とする空気調和機。
【請求項９】
請求項１から８までのいずれか１つに記載の空気調和機において、
上記加湿ホース(３０)は、上記発熱体(１３)が少なくとも上記室内機(２)側に設けられた第１ホース部(３Ｂ)と、上記発熱体のない第２ホース部(３Ａ)とを連結したものであることを特徴とする空気調和機。
【発明の詳細な説明】
【技術分野】
【０００１】
この発明は、加湿機能を備えた空気調和機に関する。
【背景技術】
【０００２】
従来、空気調和機としては、室外機から供給された加湿空気を加湿ホースを介して室内機に搬送するものがある。この空気調和機では、加湿ホース内で結露が発生すると、結露水が加湿空気の風圧により加湿ホース内で上昇落下を繰り返して、ボコボコという非常に耳障りな音を発生するという問題がある。
【０００３】
この問題を解消するため、加湿ホースの搬送部の周囲を囲む中空断熱部の厚みを厚くした空気調和機が提案されている(例えば、特開２００２−８９８９３号公報(特許文献１)参照)。
【０００４】
しかしながら、上記空気調和機では、加湿ホースの外径が太くなり、据付時の作業性が悪くなるという問題がある。また、このような空気調和機では、既設の配管貫通穴に通らなくなる可能性が高く、配管貫通穴を広げるか、新たに大きな穴を設ける必要がある。
【０００５】
また、従来の他の空気調和機としては、加湿運転を止めて加湿ホースに乾燥した空気を送風する乾燥運転を行うものがある。この空気調和機では、加湿運転と乾燥運転を交互に行うことになり、乾燥運転は加湿ができないため加湿能力が低下するという問題がある。
【特許文献１】特開２００２−８９８９３号公報
【発明の開示】
【発明が解決しようとする課題】
【０００６】
そこで、この発明の課題は、加湿ホースの外径を太くすることなく加湿ホースの断熱性能を向上して、加湿能力を低下させずに結露水の発生を抑えることができると共に、据付時の作業性を向上できる空気調和機を提供することにある。
【課題を解決するための手段】
【０００７】
上記課題を解決するため、この発明の空気調和機は、
加湿機能を備えた空気調和機であって、
室外機と室内機との間に接続され、上記室外機側から上記室内機側に加湿空気を供給するための搬送通路としての加湿ホースと、
上記加湿ホースに設けられた発熱体と、
上記発熱体に通電する通電部と
を備えたことを特徴とする。
【０００８】
上記構成の空気調和機によれば、上記通電部により加湿ホースに設けられた発熱体に通電することにより、加湿ホースの内周側の温度が露点温度よりも高くなって、結露水の発生を抑えることができる。したがって、加湿ホースの外径を太くすることなく加湿ホースの断熱性能を向上して、加湿能力を低下させずに結露水の発生を抑えることができ、耳障りな異音の発生を防止できる。また、従来の外径の配管貫通穴を設けたり既設の配管貫通穴を用いたりでき、据付時の作業性を向上できる。
【０００９】
また、一実施形態の空気調和機では、上記発熱体が上記加湿ホースに螺旋状に設けられている。
【００１０】
上記実施形態によれば、上記加湿ホースは、帯状の樹脂をらせん状に巻いて製作する場合、発熱体もその帯状の樹脂に合わせてらせん状に容易に巻くことができ、製作が容易にでき、コストを低減できる。
【００１１】
また、一実施形態の空気調和機では、上記通電部を制御することにより上記発熱体の通電電力を制御する制御部を備えた。
【００１２】
上記実施形態によれば、上記制御部によって通電部を制御して発熱体の通電電力を制御することによって、例えば外気温度,加湿空気の温度,加湿空気の湿度や加湿ホース長さなどに応じて通電電力を制御して、最適な結露防止が可能となる。
【００１３】
また、一実施形態の空気調和機では、
外気温度を検出する外気温度センサを備え、
上記制御部は、上記外気温度センサにより検出された外気温度が所定温度よりも低いとき、上記外気温度と上記所定温度との温度差が大きいほど上記発熱体の通電電力を大きくする。
【００１４】
上記実施形態によれば、上記外気温度センサにより検出された外気温度が所定温度よりも低いときに、通電部を制御して発熱体に通電して、外気温度と所定温度との温度差が大きいほど制御部により発熱体の通電電力を大きくすることによって、加湿ホース内に結露が生じやすい条件になるほど、加湿ホースの内周側の温度を高くして結露防止ができる。
【００１５】
また、一実施形態の空気調和機では、
上記加湿ホースの出口の相対湿度を検出する湿度センサを備え、
上記制御部は、上記湿度センサにより検出された相対湿度が所定湿度よりも高いとき、上記相対湿度と上記所定湿度との湿度差が大きいほど上記発熱体の通電電力を大きくする。
【００１６】
上記実施形態によれば、上記湿度センサにより検出された相対湿度が所定湿度よりも高いときに、通電部を制御して発熱体に通電して、相対湿度と所定湿度との湿度差が大きいほど制御部により発熱体の通電電力を大きくすることによって、加湿ホース内に結露が生じやすい条件になるほど、加湿ホースの内周側の温度を高くして結露防止ができる。
【００１７】
また、一実施形態の空気調和機では、上記制御部は、上記加湿ホースの長さまたは上記加湿ホース内の風量の少なくとも一方に基づいて、上記発熱体の通電電力の変化モードを制御する。
【００１８】
上記実施形態によれば、上記制御部により、加湿ホースの長さまたは加湿ホース内の風量の少なくとも一方に基づいて、発熱体の通電電力の変化モードを制御する。例えば、加湿ホースの長さが長いほど、または加湿ホース内の風量が少ないほど、結露が生じやすいので、発熱体の通電電力を大きくし、逆に、加湿ホースの長さが短いほど、または加湿ホース内の風量が多いほど、結露が生じにくいので、発熱体の通電電力を小さくする。このような発熱体の通電電力の変化モードによって、設置状況や運転状況に応じた結露防止が効果的に行える。
【００１９】
また、一実施形態の空気調和機では、上記制御部は、上記加湿ホースに設けられた上記発熱体全体に通電するかまたは上記発熱体のうちの室内機側のみに通電するかを切り換える。
【００２０】
上記実施形態によれば、上記加湿ホースに設けられた発熱体全体に通電するかまたは発熱体のうちの室内機側のみに通電するかを制御部により切り換え可能とすることによって、加湿ホース全体を発熱体により加熱する必要がなくて加湿ホースの室内機側のみを通電するだけで結露を防止できるような場合は、少ない電力で結露防止ができる。
【００２１】
また、一実施形態の空気調和機では、上記加湿ホースは、上記発熱体が少なくとも上記室内機に近い側に設けられている。
【００２２】
上記実施形態によれば、室外機側から室内機側に向かって加湿ホースを流れる加湿空気の温度は徐々に低下するから、室外機側よりも室内機側の方がより結露しやすい。このため、加湿ホースの少なくとも室内機に近い側に発熱体を設けて、結露しやすい加湿ホースの室内機側を発熱体により加熱することで、効果的な結露防止ができる。
【００２３】
また、一実施形態の空気調和機では、上記加湿ホースは、上記発熱体が少なくとも上記室内機側に設けられた第１ホース部と、上記発熱体のない第２ホース部とを連結したものである。
【００２４】
上記実施形態によれば、発熱体が少なくとも室内機側に設けられた第１ホース部と、発熱体のない第２ホース部とを連結した加湿ホースを用いることによって、結露しやすい加湿ホースの室内機側の第１ホース部を発熱体により加熱することで、効果的な結露防止ができる。また、発熱体が少なくとも室内機側に設けられた第１ホース部を所定の長さとして、設置状況に応じて第２ホース部の長さを変えることで加湿ホース長の調整が容易にできる。
【発明の効果】
【００２５】
以上より明らかなように、この発明の空気調和機によれば、加湿ホースの外径を太くすることなく加湿ホースの断熱性能を向上して、加湿能力を低下させずに結露水の発生を抑えることができると共に、据付時の作業性を向上できる空気調和機を実現することができる。
【００２６】
また、一実施形態の空気調和機によれば、発熱体が加湿ホースに螺旋状に設けられていることによって、らせん状に巻きながら加湿ホースを形成する帯状の樹脂に合わせて発熱体もらせん状に容易に巻くことができ、製作が容易にでき、コストを低減できる。
【００２７】
また、一実施形態の空気調和機によれば、制御部によって通電部を制御して発熱体の通電電力を制御することによって、例えば外気温度,加湿空気の温度,加湿空気の湿度や加湿ホース長さなどに応じて通電電力を制御して、最適な結露防止が可能となる。
【００２８】
また、一実施形態の空気調和機によれば、外気温度センサにより検出された外気温度が所定温度よりも低いときは、通電部を制御して発熱体に通電して、外気温度と所定温度との温度差が大きいほど制御部により発熱体の通電電力を大きくすることによって、加湿ホース内に結露が生じやすい条件になるほど、加湿ホースの内周側の温度を高くして結露防止ができる。
【００２９】
また、一実施形態の空気調和機によれば、湿度センサにより検出された相対湿度が所定湿度よりも高いときは、通電部を制御して発熱体に通電して相対湿度と所定湿度との湿度差が大きいほど制御部により発熱体の通電電力を大きくすることによって、加湿ホース内に結露が生じやすい条件になるほど、加湿ホースの内周側の温度を高くして結露防止ができる。
【００３０】
また、一実施形態の空気調和機によれば、制御部により、加湿ホースの長さまたは加湿ホース内の風量の少なくとも一方に基づいて、発熱体の通電電力の変化モードを制御することによって、設置状況や運転状況に応じた結露防止を効果的に行うことができる。
【００３１】
また、一実施形態の空気調和機によれば、加湿ホースに設けられた発熱体全体に通電するかまたは発熱体のうちの室内機側のみに通電するかを制御部により切り換え可能とすることによって、加湿ホース全体を発熱体により加熱する必要がなくて加湿ホースの室内機側のみを通電するだけで結露しないような場合は、少ない電力で結露防止ができ、省エネルギー化が図れる。
【００３２】
また、一実施形態の空気調和機によれば、加湿ホースの少なくとも室内機に近い側に発熱体を設けて、結露しやすい加湿ホースの室内機側を発熱体により加熱することで、効果的な結露防止ができる。
【００３３】
また、一実施形態の空気調和機によれば、発熱体が少なくとも室内機側に設けられた第１ホース部と、発熱体のない第２ホース部とを連結した加湿ホースを用いることによって、結露しやすい加湿ホースの室内機側の第１ホース部を発熱体により加熱して効果的な結露防止を行うことができると共に、発熱体が少なくとも室内機側に設けられた第１ホース部を所定の長さとして、設置状況に応じて第２ホース部の長さを変えることで加湿ホース長の調整が容易にできる。
【発明を実施するための最良の形態】
【００３４】
以下、この発明の空気調和機を図示の実施の形態により詳細に説明する。
【００３５】
〔第１実施形態〕
図１はこの発明の第１実施形態の空気調和機の模式図を示している。この第１実施形態の空気調和機は、室外機１と、室内機２とを備えている。上記室外機１と室内機２は、図示しない連絡配管および搬送通路としての加湿ホース３を介して接続されている。上記室外機１は、加湿空気を供給するための加湿ユニット１aを備え、加湿ユニット１aからの加湿空気は、加湿ホース３を介して室内機２内の加湿空気出口(図示せず)から室内に供給される。
【００３６】
また、上記室外機１は、通電部１bと、通電部１bなどを制御する制御部１cと、外気温度センサ５とを備えている。
【００３７】
上記加湿ホース３内には、発熱体１０が配設されている。この発熱体１０に室外機１の通電部１bからコネクタ(図示せず)を介して通電する。
【００３８】
図２Ａは上記空気調和機の加湿ホース３の断面図を示している。図２Ａに示すように、加湿ホース３は、樹脂製のホース本体２０と、そのホース本体２０の内周側にらせん状に設けられた発熱体１０とを有する。
【００３９】
ここで、ホース本体２０は、内側に断熱材を別に有する２重構造であってもよい。また、発熱体１０は、２重らせん状に設けられており、室外機１の通電部１bからの電流が、一方のらせん部を介して室外機１側から室内機２側の端部まで流れて、その端部で折り返して他方のらせん部を介して室外機１側に戻るようにしている。
【００４０】
この第１実施形態では、発熱体をらせん状としたが、他の構成の加湿ホースでもよい。
【００４１】
例えば、図２Ｂに示すように、ホース本体２０の内周側に直線状に発熱体１１を設けてもよいし、図２Ｃに示すように、ホース本体２０の内周側に網目状に発熱体１２を設けてもよい。
【００４２】
ここで、発熱体として、ニクロム線などの発熱線を被覆したものや、面状発熱体をホース本体に組み込んだものでもよい。
【００４３】
上記構成の空気調和機によれば、加湿ホース３の外径を太くすることなく加湿ホース３の断熱性能を向上して、加湿能力を低下させずに結露水４の発生を抑えて耳障りな異音の発生を防止できる空気調和機を実現することができる。また、加湿ホース３の外径を太くしないから、従来の外径の配管貫通穴を設けたり既設の配管貫通穴を用いたりでき、据付時の作業性を向上できる。本来なら結露する温度であっても、発熱体１０により加湿ホース３を加熱することにより加湿ホース３内が露点温度に達しないように制御できるので、加湿量を上げることが可能になり、快適性を向上できる。
【００４４】
また、図２Ｂに示すように、発熱体１０を加湿ホース３に螺旋状に設けることによって、らせん状に巻きながら加湿ホース３を形成する帯状の樹脂に合わせて発熱体１０もらせん状に容易に巻くことができ、製作が容易にでき、コストを低減することができる。
【００４５】
また、上記制御部１cによって通電部１bを制御して発熱体１０の通電電力を制御するとき、外気温度,加湿空気の温度,加湿空気の湿度や加湿ホース長さなどに応じて通電電力を制御することによって、最適な結露防止が可能となる。
【００４６】
また、上記外気温度センサ５により検出された外気温度が所定温度よりも低いときは、通電部１bを制御して発熱体１０に通電して外気温度と所定温度との温度差が大きいほど制御部１cにより発熱体１０の通電電力を大きくすることによって、加湿ホース３内に結露が生じやすい条件になるほど、加湿ホース３の内周側の温度を高くして結露防止ができる。この第１実施形態では、外気温度と所定温度との温度差が５℃毎に、段階的に発熱体１０の通電電力を大きくする。
【００４７】
ここで、発熱体１０の通電電力は、加湿ホース３内の風量、加湿空気の温度,湿度、外気温度、加湿ホース長に基づいて、実験などにより決定する。
【００４８】
なお、上記室内機２は、加湿ホース３の加湿空気出口(図示せず)近傍に、加湿空気の相対湿度を検出する湿度センサ６を備えて、加湿ホース３の出口側の加湿空気の相対湿度に基づいて発熱体１０の通電電力を制御してもよい。この場合、外気温度に基づいて発熱体１０の通電電力を制御するよりも、結露防止を的確に制御できる。
【００４９】
具体的には、湿度センサ６により検出された加湿ホース３の加湿空気出口の相対湿度が所定湿度よりも高いときは、通電部１bを制御して発熱体１０に通電して相対湿度と所定湿度との湿度差が大きいほど制御部１cにより発熱体１０の通電電力を大きくすることによって、加湿ホース３内に結露が生じやすい条件になるほど、加湿ホース３の内周側の温度を高くして結露防止ができる。この第１実施形態では、加湿ホース３の出口の相対湿度は８０％以上のとき、発熱体１０に通電している。
【００５０】
また、この加湿ホース３の出口側の加湿空気の相対湿度に基づく発熱体１０の通電電力の制御と、外気温度センサ５により検出された外気温度に基づく発熱体１０の通電電力の制御を組み合わせて行ってもよい。
【００５１】
また、上記制御部１cにより、加湿ホース３の長さまたは加湿ホース３内の風量の少なくとも一方に基づいて、発熱体１０の通電電力の変化モードを制御することによって、設置状況や運転状況に応じた結露防止を効果的に行うことができる。
【００５２】
加湿ホース長が長いほど結露しやすいので、例えば、所定長よりも長いときは加湿ホース３の出口の相対湿度は７０％以上のときに発熱体１０に通電を開始したり、所定長よりも短いときは加湿ホース３の出口の相対湿度は８０％以上のときに発熱体１０に通電を開始したりする。また、加湿ホース３内の風量が少ないときほど結露しやすいので、加湿ユニット１aの加湿運転の状況に応じて、加湿ホース３内の風量が少ないほど発熱体１０の通電電力を大きくし、逆に加湿ホース３内の風量が多いほど発熱体１０の通電電力を小さくする。
【００５３】
また、加湿ホース長が所定長よりも長い場合、外気温度に基づいて発熱体１０の通電電力を制御するときに、通電電力の変化幅を大きくする一方、加湿ホース長が所定長よりも短い場合、外気温度に基づいて発熱体１０の通電電力を制御するときに、通電電力の変化幅を小さくする。また、加湿ホース３内の風量が少ない場合、外気温度に基づいて発熱体１０の通電電力を制御するときに、通電電力の変化幅を大きくする一方、加湿ホース３内の風量が多い場合、外気温度に基づいて発熱体１０の通電電力を制御するときに、通電電力の変化幅を小さくする。これは、加湿ホース３の出口側の加湿空気の相対湿度に基づいて発熱体１０の通電電力を制御する場合も同様である。
【００５４】
なお、上記加湿ホース３に設けられた発熱体１０全体に通電するかまたは発熱体１０のうちの室内機側のみに通電するかを制御部１cにより切り換え可能としてもよい。この場合、加湿ホース全体を発熱体により加熱する必要がなくて加湿ホース３の室内機側のみを通電するだけで結露を防止できるような場合は、少ない電力で結露防止ができ、省エネルギー化を図ることができる。
【００５５】
〔第２実施形態〕
図３はこの発明の第２実施形態の空気調和機の模式図を示している。この第２実施形態の空気調和機は、加湿ホースと通電部と制御部を除いて第１実施形態の空気調和機と同一の構成をしており、同一構成部には同一参照番号を付して説明を省略する。
【００５６】
この第２実施形態の空気調和機は、図３に示すように、加湿ホース３０が第１ホース部３Ｂと第２ホース部３Ａからなり、第２ホース部３Ａの一端が室外機１側に接続され、第２ホース部３Ａの他端が連結部７を介して第１ホース部３Ｂの一端に接続され、その第１ホース部３Ｂの他端が室内機２側に接続されている。
【００５７】
また、上記室内機２は、通電部２aと、通電部２aなどを制御する制御部２bを備えている。
【００５８】
上記第１ホース部３Ｂ内には、発熱体１３が配設されている。この発熱体１３に室内機２の通電部２aからコネクタ(図示せず)を介して通電する。
【００５９】
上記第２実施形態の空気調和機は、第１実施形態の空気調和機と同様の効果を有する。
【００６０】
また、上記室外機１側から室内機２側に向かって第２ホース部３Ａと第１ホース部３Ｂに流れる加湿空気の温度は徐々に低下するから、室外機１側よりも室内機２側の方がより結露しやすいため、室内機２に近い第１ホース部３Ｂ側に発熱体１３を設けている。それによって、結露しやすい第１ホース部３Ｂの室内機２側を発熱体１３により加熱することで、少ない発熱体で効果的な結露防止を行うことができる。
【００６１】
ここで、第１ホース部は、少なくとも室内機２側に部分的に発熱体が設けられていてもよい。
【００６２】
また、上記発熱体１３が室内機２側に設けられた第１ホース部３Ｂと、発熱体のない第２ホース部３Ａを連結した加湿ホース３０を用いることによって、結露しやすい第１ホース部３Ｂを発熱体１３により加熱することで、効果的な結露防止を行うことができる。また、第１ホース部３Ｂを所定の長さとして、設置状況に応じて第２ホース部３Ａの長さを変えることで加湿ホース長の調整を行うことが容易にできる。
【００６３】
上記第２実施形態では、発熱体１３が設けられた第１ホース部３Ｂと発熱体のない第２ホース部３Ａが連結された加湿ホース３０を用いたが、加湿ホースはこれに限らず、第１ホース部と第２ホース部にさらに１以上のホース部を第２ホース部側に連結したものでもよく、また、加湿ホースは、発熱体が少なくとも室内機に近い側に設けられたものであればよい。
【００６４】
また、この発明の空気調和機の加湿ホースは、発熱体が室内機側に密に設けられ、室内機側ほど発熱量を大きくしたものでもよい。
【図面の簡単な説明】
【００６５】
【図１】図１はこの発明の第１実施形態の空気調和機の模式図である。
【図２Ａ】図２Ａは上記空気調和機の加湿ホースの断面図である。
【図２Ｂ】図２Ｂは上記空気調和機の他の加湿ホースの断面図である。
【図２Ｃ】図２Ｃは上記空気調和機の他の加湿ホースの断面図である。
【図３】図３はこの発明の第２実施形態の空気調和機の模式図である。
【符号の説明】
【００６６】
１…室外機
１a…加湿ユニット
１b…通電部
１c…制御部
２…室内機
２a…通電部
２b…制御部
３,３０…加湿ホース
３Ａ…第２ホース部
３Ｂ…第１ホース部
４…結露水
５…外気温度センサ
６…湿度センサ
７…連結部
１０,１１,１２,１３…発熱体
２０…ホース本体
【図１】
2008309415.tif 000003
【図２Ａ】
2008309415.tif 000004
【図２Ｂ】
2008309415.tif 000005
【図２Ｃ】
2008309415.tif 000006
【図３】
2008309415.tif 000007